(57)【要約】【課題】  情報の受信者の気分を害さずに、情報の送信者の意図を受信者に正確に伝えることができる生体情報処理システム、サーバーシステム及び情報処理方法等の提供。【解決手段】  生体情報処理システム１００は、センシング部３１０で測定された生体情報に基づいて、心身情報を特定する心身情報特定部１１０と、情報の送受信を行う送受信部１３０と、送受信部１３０が受信した受信情報の内容と、送信者の心身情報と、受信者の心身情報とに基づいて、受信情報の提示態様の変換処理を行う情報変換部１５０と、を含む。【選択図】  図１
2016157253.tif 000002
【特許請求の範囲】
【請求項１】
センシング部で測定された生体情報に基づいて、心身情報を特定する心身情報特定部と、
情報の送受信を行う送受信部と、
前記送受信部が受信した受信情報の内容と、送信者の心身情報と、受信者の心身情報とに基づいて、前記受信情報の提示態様の変換処理を行う情報変換部と、
を含むことを特徴とする生体情報処理システム。
【請求項２】
請求項１において、
前記情報変換部は、
前記受信情報の内容と、前記送信者の心身情報と、前記受信者の心身情報と、前記送信者の位置情報及び前記受信者の位置情報の少なくとも一方と、に基づいて、前記受信情報の前記提示態様を変換することを特徴とする生体情報処理システム。
【請求項３】
請求項１又は２において、
前記情報変換部は、
強調表示、誇張表示及び省略表示の少なくとも一つの表示態様で表示部に表示されるように、前記受信情報の前記提示態様を変換することを特徴とする生体情報処理システム。
【請求項４】
請求項１乃至３のいずれかにおいて、
前記情報変換部は、
前記受信者の心身情報及び前記送信者の心身情報のうちの少なくとも１つに基づいて、心的状態がポジティブ状態、ノーマル状態及びネガティブ状態のうちのいずれかの状態であるか否かを判定し、判定した前記心的状態に基づいて、前記受信情報の前記提示態様を変換することを特徴とする生体情報処理システム。
【請求項５】
請求項４において、
前記情報変換部は、
前記心的状態が前記ポジティブ状態であると判定した場合には、強調表示及び誇張表示の少なくとも一方の表示態様で表示部に表示されるように、前記受信情報の前記提示態様を変換し、
前記心的状態が前記ネガティブ状態であると判定した場合には、省略表示の前記表示態様で表示部に表示されるように、前記受信情報の前記提示態様を変換することを特徴とする生体情報処理システム。
【請求項６】
請求項２において、
前記情報変換部は、
前記位置情報に基づいて、前記受信者の周囲環境がフォーマル状態、ノーマル状態及びパーソナル状態のうちのいずれかの状態であるか否かを判定し、判定した前記周囲環境に基づいて、前記受信情報の前記提示態様を変換することを特徴とする生体情報処理システム。
【請求項７】
請求項６において、
前記情報変換部は、
前記周囲環境が前記ノーマル状態であると判定した場合には、強調表示及び誇張表示の少なくとも一方の表示態様で表示部に表示されるように、前記受信情報の前記提示態様を変換し、
前記周囲環境が前記パーソナル状態であると判定した場合には、省略表示の前記表示態様で表示部に表示されるように、前記受信情報の前記提示態様を変換することを特徴とする生体情報処理システム。
【請求項８】
請求項１乃至７のいずれかにおいて、
前記情報変換部は、
前記受信情報の内容が、フォーマルな内容及びノーマルな内容、パーソナルな内容のうちのいずれかの内容であるか否かを判定し、判定した前記内容に基づいて、前記受信情報の前記提示態様を変換することを特徴とする生体情報処理システム。
【請求項９】
請求項８において、
前記情報変換部は、
前記受信情報の内容が前記ノーマルな内容であると判定した場合には、強調表示及び誇張表示の少なくとも一方の表示態様で表示部に表示されるように、前記受信情報の前記提示態様を変換し、
前記受信情報の内容が前記パーソナルな内容であると判定した場合には、省略表示の前記表示態様で表示部に表示されるように、前記受信情報の前記提示態様を変換することを特徴とする生体情報処理システム。
【請求項１０】
請求項１乃至９のいずれかにおいて、
前記情報変換部は、
前記受信情報を表示部に表示する際に、音、光及び振動のうちの少なくとも１つを発生させる前記提示態様に変換することを特徴とする生体情報処理システム。
【請求項１１】
請求項１乃至１０のいずれかにおいて、
前記送受信部は、
前記送信者の心身情報を受信し、
前記情報変換部は、
前記送受信部が受信した前記受信情報の内容と、前記送信者の心身情報と、前記受信者の心身情報とに基づいて、前記受信情報の前記提示態様の前記変換処理を行うことを特徴とする生体情報処理システム。
【請求項１２】
請求項１乃至１１のいずれかにおいて、
前記送受信部は、
前記送信者の前記生体情報を受信し、
前記心身情報特定部は、
前記送信者の前記生体情報に基づいて、前記送信者の心身情報を特定し、前記受信者の前記生体情報に基づいて、前記受信者の心身情報を特定し、
前記情報変換部は、
前記送受信部が受信した前記受信情報の内容と、前記送信者の心身情報と、前記受信者の心身情報とに基づいて、前記受信情報の前記提示態様の前記変換処理を行うことを特徴とする生体情報処理システム。
【請求項１３】
請求項１乃至１２のいずれかにおいて、
前記情報変換部は、
前記送信者の心的状態を数値化したパラメーターＳＳと、前記送信者の周囲環境を数値化したパラメーターＰＳと、前記受信者の心的状態を数値化したパラメーターＳＲと、前記受信者の周囲環境を数値化したパラメーターＰＲと、を引数とした関数Ｆ（ＳＳ、ＰＳ、ＳＲ、ＰＲ）に基づいて、前記受信情報の前記提示態様を決定することを特徴とする生体情報処理システム。
【請求項１４】
請求項１３において、
前記関数Ｆは、
前記パラメーターＳＳと、前記パラメーターＰＳと、前記パラメーターＳＲと、前記パラメーターＰＲと、を線形結合した項を含む関数であることを特徴とする生体情報処理システム。
【請求項１５】
第１の情報端末と第２の情報端末との間で通信を行う送受信部と、
処理部と、
を含み、
前記送受信部は、
前記第１の情報端末のセンシング部で測定された送信者の生体情報と送信情報とを前記第１の情報端末から受信し、前記第２の情報端末のセンシング部で測定された受信者の生体情報を前記第２の情報端末から受信し、
前記処理部は、
取得した前記送信者の前記生体情報に基づいて、前記送信者の心身情報を特定し、取得した前記受信者の前記生体情報に基づいて、前記受信者の心身情報を特定し、前記送信情報の内容と、前記送信者の心身情報と、前記受信者の心身情報とに基づいて、前記送信情報の提示態様の変換処理を行うことを特徴とするサーバーシステム。
【請求項１６】
センシング部で測定された生体情報に基づいて、心身情報を特定し、
情報の送受信を行い、
受信した受信情報の内容と、送信者の心身情報と、受信者の心身情報とに基づいて、前記受信情報の提示態様の変換処理を行うことを特徴とする情報処理方法。
【発明の詳細な説明】
【技術分野】
【０００１】
本発明は、生体情報処理システム、サーバーシステム及び情報処理方法等に関係する。
【背景技術】
【０００２】
情報伝達は、送信者の意図や気持ちが絡んでいるため、送信者の意図や気持ちが情報の授受に影響する。情報を受信する際にも、受信者の気分などにより、情報の受け取り方が変わるため、送信者の意図を受信者に正確に伝えることは難しい。
【０００３】
人間は面と向かったコミュニケーションでは、互いの表情、しぐさ、言葉の調子などから、互いを察することができるため、互いの意図を汲んだ情報のやり取りができる。一方、コンピューターによる情報だけのやりとりでは、人間が対面して行うコミュニケーションのように互いを察することが難しいため、互いの意図を汲んだ情報のやり取りはなかなかできない。
【０００４】
互いの意図を汲んだ情報のやり取りを実現するために、次のような試みが提案されている。例えば、特許文献１では、受信者の状況に合うように、受信データを変換する手法が開示されている。また、特許文献２では、送信者の病気などの身体状況に応じて、着信音を選択する着信応答処理を行う手法が開示されている。
【先行技術文献】
【特許文献】
【０００５】
【特許文献１】特開２００１−３４４３５２号公報
【特許文献２】特開２００４−２７４５１９号公報
【発明の概要】
【発明が解決しようとする課題】
【０００６】
特許文献１及び特許文献２のように、受信者又は送信者のどちらか一方の状況に合わせて受け取る情報を変えることで、受信者又は送信者の意図を汲むことができる。しかし、特許文献１及び特許文献２の発明は、送信者と受信者の両方の状況に応じて、情報の伝達方法を変えることはできない。そのため、ネット上での情報共有、不特定多数への情報公開などには適応が難しい。
【０００７】
また、特許文献２の発明では、送信者の意図を受信者が汲むことはできたとしても、それによって受信者が不快な思いをすることがある。逆に、特許文献１の発明では、受信者が心地よい状態のまま情報を受け取ることができたとしても、それによって、送信者の意図が正確に伝わらなくなることもある。すなわち、特許文献１及び特許文献２の発明では、受信者が心地よい状態のまま、送信者の意図を汲むことが難しい。
【０００８】
本発明の幾つかの態様によれば、情報の受信者の気分を害さずに、情報の送信者の意図を受信者に正確に伝えることができる生体情報処理システム、サーバーシステム及び情報処理方法等を提供することができる。
【課題を解決するための手段】
【０００９】
本発明の一態様は、センシング部で測定された生体情報に基づいて、心身情報を特定する心身情報特定部と、情報の送受信を行う送受信部と、前記送受信部が受信した受信情報の内容と、送信者の心身情報と、受信者の心身情報とに基づいて、前記受信情報の提示態様の変換処理を行う情報変換部と、を含む生体情報処理システムに関係する。
【００１０】
本発明の一態様では、受信情報の内容と、送信者の心身情報と、受信者の心身情報とに基づいて、受信情報の提示態様の変換処理を行う。よって、情報の受信者の気分を害さずに、情報の送信者の意図を受信者に正確に伝えることが可能となる。
【００１１】
また、本発明の一態様では、前記情報変換部は、前記受信情報の内容と、前記送信者の心身情報と、前記受信者の心身情報と、前記送信者の位置情報及び前記受信者の位置情報の少なくとも一方と、に基づいて、前記受信情報の前記提示態様を変換してもよい。
【００１２】
これにより、送信者の位置及び受信者の位置の少なくとも一方に適した提示態様で、受信情報を提示すること等が可能になる。
【００１３】
また、本発明の一態様では、前記情報変換部は、強調表示、誇張表示及び省略表示の少なくとも一つの表示態様で表示部に表示されるように、前記受信情報の前記提示態様を変換してもよい。
【００１４】
これにより、情報の内容、送信者の心身情報及び受信者の心身情報に適した表示態様で受信情報を提示すること等が可能になる。
【００１５】
また、本発明の一態様では、前記情報変換部は、前記受信者の心身情報及び前記送信者の心身情報のうちの少なくとも１つに基づいて、心的状態がポジティブ状態、ノーマル状態及びネガティブ状態のうちのいずれかの状態であるか否かを判定し、判定した前記心的状態に基づいて、前記受信情報の前記提示態様を変換してもよい。
【００１６】
これにより、ポジティブ状態、ノーマル状態及びネガティブ状態のうちのそれぞれの心的状態に適した提示態様で、受信情報を提示すること等が可能になる。
【００１７】
また、本発明の一態様では、前記情報変換部は、前記心的状態が前記ポジティブ状態であると判定した場合には、強調表示及び誇張表示の少なくとも一方の表示態様で表示部に表示されるように、前記受信情報の前記提示態様を変換し、前記心的状態が前記ネガティブ状態であると判定した場合には、省略表示の前記表示態様で表示部に表示されるように、前記受信情報の前記提示態様を変換してもよい。
【００１８】
これにより、心的状態がポジティブ状態である場合に、送信者の意図をより強く反映して受信情報を提示し、心的状態がネガティブ状態である場合には、受信者の気分を害さないように受信情報を提示すること等が可能になる。
【００１９】
また、本発明の一態様では、前記情報変換部は、前記位置情報に基づいて、前記受信者の周囲環境がフォーマル状態、ノーマル状態及びパーソナル状態のうちのいずれかの状態であるか否かを判定し、判定した前記周囲環境に基づいて、前記受信情報の前記提示態様を変換してもよい。
【００２０】
これにより、フォーマル状態、ノーマル状態及びパーソナル状態のうちのそれぞれの周囲環境に適した提示態様で、受信情報を提示すること等が可能になる。
【００２１】
また、本発明の一態様では、前記情報変換部は、前記周囲環境が前記ノーマル状態であると判定した場合には、強調表示及び誇張表示の少なくとも一方の表示態様で表示部に表示されるように、前記受信情報の前記提示態様を変換し、前記周囲環境が前記パーソナル状態であると判定した場合には、省略表示の前記表示態様で表示部に表示されるように、前記受信情報の前記提示態様を変換してもよい。
【００２２】
これにより、周囲環境がノーマル状態である場合に、送信者の意図をより強く反映して受信情報を提示し、周囲環境がパーソナル状態である場合には、受信者の気分を害さないように受信情報を提示すること等が可能になる。
【００２３】
また、本発明の一態様では、前記情報変換部は、前記受信情報の内容が、フォーマルな内容及びノーマルな内容、パーソナルな内容のうちのいずれかの内容であるか否かを判定し、判定した前記内容に基づいて、前記受信情報の前記提示態様を変換してもよい。
【００２４】
これにより、フォーマルな内容、ノーマルな内容及びパーソナルな内容のうちのそれぞれの内容に適した提示態様で、受信情報を提示すること等が可能になる。
【００２５】
また、本発明の一態様では、前記情報変換部は、前記受信情報の内容が前記ノーマルな内容であると判定した場合には、強調表示及び誇張表示の少なくとも一方の表示態様で表示部に表示されるように、前記受信情報の前記提示態様を変換し、前記受信情報の内容が前記パーソナルな内容であると判定した場合には、省略表示の前記表示態様で表示部に表示されるように、前記受信情報の前記提示態様を変換してもよい。
【００２６】
これにより、受信情報の内容がノーマルな内容である場合に、送信者の意図をより強く反映して受信情報を提示し、受信情報の内容がパーソナルな内容である場合には、受信者の気分を害さないように受信情報を提示すること等が可能になる。
【００２７】
また、本発明の一態様では、前記情報変換部は、前記受信情報を表示部に表示する際に、音、光及び振動のうちの少なくとも１つを発生させる前記提示態様に変換してもよい。
【００２８】
これにより、視覚のみを介して受信情報を提示するよりも、受信情報を受信者により強く印象付けること等が可能になる。
【００２９】
また、本発明の一態様では、前記送受信部は、前記送信者の心身情報を受信し、前記情報変換部は、前記送受信部が受信した前記受信情報の内容と、前記送信者の心身情報と、前記受信者の心身情報とに基づいて、前記受信情報の前記提示態様の前記変換処理を行ってもよい。
【００３０】
これにより、送信側の情報端末と受信側の生体情報処理システムが、送信者と受信者の心身情報をそれぞれ特定することで、心身情報特定処理の処理負荷を分散すること等が可能になる。
【００３１】
また、本発明の一態様では、前記送受信部は、前記送信者の前記生体情報を受信し、前記心身情報特定部は、前記送信者の前記生体情報に基づいて、前記送信者の心身情報を特定し、前記受信者の前記生体情報に基づいて、前記受信者の心身情報を特定し、前記情報変換部は、前記送受信部が受信した前記受信情報の内容と、前記送信者の心身情報と、前記受信者の心身情報とに基づいて、前記受信情報の前記提示態様の前記変換処理を行ってもよい。
【００３２】
これにより、送信側の情報端末が送信者の心身情報を特定することができない場合でも、受信情報の提示態様の変換処理を行うこと等が可能になる。
【００３３】
また、本発明の一態様では、前記情報変換部は、前記送信者の心的状態を数値化したパラメーターＳＳと、前記送信者の周囲環境を数値化したパラメーターＰＳと、前記受信者の心的状態を数値化したパラメーターＳＲと、前記受信者の周囲環境を数値化したパラメーターＰＲと、を引数とした関数Ｆ（ＳＳ、ＰＳ、ＳＲ、ＰＲ）に基づいて、前記受信情報の前記提示態様を決定してもよい。
【００３４】
これにより、送信者及び受信者の心的状態と、送信者及び受信者の周囲環境を複合的に考慮して、提示態様の変換を行うこと等が可能になる。
【００３５】
また、本発明の一態様では、前記関数Ｆは、前記パラメーターＳＳと、前記パラメーターＰＳと、前記パラメーターＳＲと、前記パラメーターＰＲと、を線形結合した項を含む関数であってもよい。
【００３６】
これにより、送信者の心的状態と、送信者の周囲環境と、受信者の心的状態と、受信者の周囲環境とを考慮して、提示態様を決定すること等が可能になる。
【００３７】
また、本発明の他の態様は、第１の情報端末と第２の情報端末との間で通信を行う送受信部と、処理部と、を含み、前記送受信部は、前記第１の情報端末のセンシング部で測定された送信者の生体情報と送信情報とを前記第１の情報端末から受信し、前記第２の情報端末のセンシング部で測定された受信者の生体情報を前記第２の情報端末から受信し、前記処理部は、取得した前記送信者の前記生体情報に基づいて、前記送信者の心身情報を特定し、取得した前記受信者の前記生体情報に基づいて、前記受信者の心身情報を特定し、前記送信情報の内容と、前記送信者の心身情報と、前記受信者の心身情報とに基づいて、前記送信情報の提示態様の変換処理を行うサーバーシステムに関係する。
【００３８】
これにより、送信側及び受信側の情報端末の処理負荷を軽減しつつ、送信情報の提示態様を変換すること等が可能になる。
【００３９】
また、本発明の他の態様は、センシング部で測定された生体情報に基づいて、心身情報を特定し、情報の送受信を行い、受信した受信情報の内容と、送信者の心身情報と、受信者の心身情報とに基づいて、前記受信情報の提示態様の変換処理を行う情報処理方法（生体情報処理システムの作動方法）に関係する。
【図面の簡単な説明】
【００４０】
【図１】第１の実施形態のシステム構成例。
【図２】生体情報及び心的状態情報の説明図。
【図３】第１の実施形態の処理の流れを説明するフローチャート。
【図４】図４（Ａ）〜図４（Ｇ）は、受信情報の表示態様の説明図。
【図５】心的状態、位置及び情報の内容をそれぞれ示す各パラメーターの説明図。
【図６】第１の実施形態の変形例のシステム構成例。
【図７】第１の実施形態の変形例の処理の流れを説明するフローチャート。
【図８】第２の実施形態のシステム構成例。
【図９】第２の実施形態の処理の流れを説明するフローチャート。
【図１０】定量化された心的状態情報の具体例の説明図。
【図１１】運動強度とモチベーションへの影響のし易さの説明図。
【図１２】図１２（Ａ）及び図１２（Ｂ）は、生体情報検出装置の具体的な構成例。
【図１３】生体情報検出装置の具体的な構成例。
【発明を実施するための形態】
【００４１】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００４２】
１．概要
メール等のコンピューターを介したテキスト情報のやりとりでは、送信者が受信者の受信時の状況を考慮することが難しく、また、受信者は送信者の意図を正確に汲むことが難しい。これは、人間が対面して行うコミュニケーションのように、互いの表情、しぐさ、言葉の調子などから、互いを察することができないためである。
【００４３】
これに対して、前述した特許文献１及び特許文献２では、受信者又は送信者のどちらか一方の状況に合わせて受信情報の提示態様を変える発明が開示されている。しかし、特許文献１及び特許文献２の発明は、送信者と受信者の両方の状況に応じて、情報の伝達方法を変えることはできない。
【００４４】
例えば、特許文献１の発明では、受信者が心地よい状態のまま情報を受け取ることができたとしても、それによって、送信者の意図が正確に伝わらなくなることもある。具体的には、送信者が緊急性のある情報や、受信者に危機感を煽らせる情報を意図的に送信した場合であっても、受信者の気分に合致していないと、送信者が意図した緊急性や危機感を減殺（抑制）して、受信者に提示してしまう。この場合には、送信者の意図を正確に受信者に伝えることが出来なくなってしまう。
【００４５】
一方、特許文献２の発明では、送信者の意図を受信者が汲むことはできたとしても、それによって受信者が不快な思いをすることがある。例えば、送信者が緊急性の高い連絡をしたい場合に、その緊急性の度合いに応じた大きさの着信音で着信を通知することが考えらえる。受信者が会議中である場合などには、周囲に迷惑をかけてしまうため、受信者に気まずい思いをさせてしまうことがある。
【００４６】
そこで、本実施形態では、受信情報の内容と、送信者の心身情報と、受信者の心身情報とに基づいて、受信情報の提示（呈示）態様の変換処理を行う。これにより、情報の受信者の気分を害さずに、情報の送信者の意図を受信者に正確に伝えることを可能にする。
【００４７】
２．第１の実施形態
２．１．システム構成例
図１に、本実施形態の生体情報処理システム１００及び情報端末２００のシステム構成図を示す。本実施形態の生体情報処理システム１００は、心身情報特定部１１０と、送受信部１３０と、情報変換部１５０と、を含む。また、情報端末２００は、生体情報処理システム１００と通信接続され、心身情報特定部２１０と、送受信部２３０と、センシング部２５０と、を含む。また、生体情報処理システム１００は、センシング部３１０と、表示部４００とに接続されている。なお、生体情報処理システム１００及び情報端末２００は、図１の構成に限定されず、これらの一部の構成要素を省略したり、他の構成要素を追加したりするなどの種々の変形実施が可能である。
【００４８】
次に各部で行われる処理について説明する。なお、心身情報特定部１１０と心身情報特定部２１０、送受信部１３０と送受信部２３０、センシング部３１０とセンシング部２５０は、それぞれ互いに同様の機能を有している。
【００４９】
まず、心身情報特定部１１０（心身情報特定部２１０）は、センシング部３１０（センシング部２５０）で測定された生体情報に基づいて、心身情報を特定する。心身情報特定部１１０（心身情報特定部２１０）は、センシング部３１０（センシング部２５０）と無線又は有線により接続されている場合には、データを送受信する通信部（Ｉ／Ｆ部、アンテナ部等）であってもよい。
【００５０】
ここで、生体情報は、図２に示すように、脈拍や血圧、血糖値などである。そして、心身情報は、生体情報と心的状態情報とを含む情報である。そして心的状態情報は、緊張状態、興奮状態、リラックス状態、モチベーションの高さ及び行動結果に対するユーザー評価などである。ただし、本実施形態において、生体情報及び心的状態情報はこれらに限定されない。なお、心的状態情報の推定処理についてのさらに詳しい説明は後述する。
【００５１】
センシング部３１０（センシング部２５０）は、例えば脈波センサーである。脈波センサーは、脈波センサー信号を検出するためのセンサーであり、例えば光電センサー等が考えられる。なお、脈波センサーとして光電センサーを用いる場合には、太陽光等の外光の信号成分をカットするように構成されているセンサーを用いてもよい。これは例えば、フォトダイオードを複数設け、それらの信号を用いてフィードバック処理等で差分情報を求める構成等により実現できる。
【００５２】
なお、脈波センサーは光電センサーに限定されず、超音波を用いたセンサーであってもよい。この場合、脈波センサーは２つの圧電素子を有し、一方の圧電素子を励振させて生体内に超音波を送信するとともに、当該超音波が生体の血流によって反射されたものを他方の圧電素子により受信する。送信した超音波と受信した超音波には、血流のドップラー効果によって周波数変化が生じるため、この場合にも血流量に対応する信号を取得することができ、拍動情報の推定が可能である。また、脈波センサーとして他のセンサーを用いてもよい。
【００５３】
さらに、センシング部３１０（センシング部２５０）は、モーションセンサーを含み、ユーザーの体動情報を取得可能であってもよい。モーションセンサーは、例えば加速度センサーである。その場合には、体動情報として加速度センサー信号を検出する。加速度センサーは、例えば外力によって抵抗値が増減する素子等で構成され、三軸の加速度情報を検知する。また他にも、加速度センサーは、三軸の力に加えて、三軸の周りのモーメントを検出する六軸の加速度センサーであってもよい。さらに、モーションセンサーは、加速度センサーに限定されず、地磁気センサー等の方位センサーやジャイロセンサー等であってもよい。方位センサーは、センサーの向いている方位を角度（０°〜３６０°）で計測する。地磁気センサーは、例えば磁場の強さによって抵抗値やインピーダンス値が増減する素子等で構成され、三軸の地磁気情報を検知する。また、地磁気センサーや加速度センサー、ジャイロセンサーの機能を併せ持つセンサーを用いてもよい。
【００５４】
送受信部１３０（送受信部２３０）は、情報の送受信を行う。例えば、送受信部１３０は、送信者の心身情報を受信する。無線又は有線の少なくとも一方を含むネットワークを介して、送受信部１３０と送受信部２３０が接続されている場合には、送受信部１３０（送受信部２３０）は、データを送受信する通信部（Ｉ／Ｆ部、アンテナ部等）であってもよい。なお、以下で説明する例では、送受信部２３０が情報を送信し、送受信部１３０が情報を受信する例について説明するが、送受信部１３０も情報を送信可能であり、送受信部２３０も情報を受信可能である。
【００５５】
また、送受信部１３０（送受信部２３０）が送受信する情報とは、例えば主に文章（テキスト）データであり、メールなどで送受信可能な情報である。その他にも、送受信部１３０（送受信部２３０）が送受信する情報は、デジタルデータ化された画像であってもよいし、音声などの音データであってもよい。この情報は、送受信部１３０が扱う場合には、受信情報と呼び、送受信部２３０が扱う場合には送信情報と呼ぶ。
【００５６】
情報変換部１５０は、送受信部１３０が受信した受信情報の内容と、送信者の心身情報と、受信者の心身情報とに基づいて、受信情報の提示（呈示）態様の変換処理を行う。なお、情報変換部１５０の機能は、各種プロセッサー（ＣＰＵ、ＧＰＵ等）、ＡＳＩＣ（ゲートアレイ等）などのハードウェアや、プログラムなどにより実現できる。
【００５７】
前述したように、送信側の情報端末２００と受信側の生体情報処理システム１００が、送信者と受信者の心身情報をそれぞれ特定することで、心身情報特定処理の処理負荷を分散すること等が可能になる。
【００５８】
２．２．処理の詳細
次に、本実施形態の処理の流れについて、図３のシーケンス図を用いて詳細に説明する。
【００５９】
まず、情報端末２００のセンシング部２５０が、情報の送信者の生体情報を取得し（Ｔ１０１）、取得した生体情報を心身情報特定部２１０に送信する（Ｔ１０２）。そして、情報端末２００の心身情報特定部２１０が、生体情報に基づいて、送信者の心身情報を特定し（Ｔ１０３）、特定した心身情報を送受信部２３０に送信する（Ｔ１０４）。
【００６０】
次に、情報端末２００の送受信部２３０は、特定した送信者の心身情報と共に、コンテンツ情報を生体情報処理システム１００の送受信部１３０に送信する（Ｔ１０５）。コンテンツ情報とは、例えば送信者が受信者に提示したいメッセージ（テキストデータ）や画像等の情報である。コンテンツ情報は、不図示の情報取得部又は入力部により情報端末２００に入力される。そして、コンテンツ情報と心身情報を受信した生体情報処理システム１００の送受信部１３０は、情報変換部１５０にこれらの情報を送信する（Ｔ１０６）。
【００６１】
その後、生体情報処理システム１００のセンシング部３１０が、情報の受信者の生体情報を取得し（Ｔ１０７）、取得した生体情報を心身情報特定部１１０に送信する（Ｔ１０８）。そして、生体情報処理システム１００の心身情報特定部１１０が、受信者の生体情報に基づいて、受信者の心身情報を特定し（Ｔ１０９）、特定した心身情報を情報変換部１５０に送信する（Ｔ１１０）。
【００６２】
次に、情報変換部１５０が、受信情報（コンテンツ情報）の内容と、送信者の心身情報と、受信者の心身情報とに基づいて、受信情報の提示態様を変換し（Ｔ１１１）、提示態様の変換後の受信情報を表示部４００に送信する（Ｔ１１２）。この際に、情報変換部１５０は、上記の情報に加えて、後述するように送信者の位置情報と受信者の位置情報の少なくとも一方に基づいて、受信情報の提示態様を変換してもよい。
【００６３】
そして、表示部４００が変換された提示態様で受信情報を表示し（Ｔ１１３）、処理を終了する。
【００６４】
情報変換部１５０は、提示態様の変換処理において、強調表示、誇張表示及び省略表示の少なくとも一つの表示態様で表示部４００に表示されるように、受信情報の提示態様を変換する。表示態様は、提示態様のうちの一つである。
【００６５】
これにより、情報の内容、送信者の心身情報及び受信者の心身情報に適した表示態様で受信情報を提示すること等が可能になる。
【００６６】
具体例を図４（Ａ）〜図４（Ｆ）に示す。図４（Ａ）は、送信者が送信したコンテンツ情報（元の情報）をそのまま表示部４００に表示する例である。図４（Ｂ）は、元の情報を強調表示する例である。図４（Ｂ）の例では、文字を太文字にしたり、フォントサイズを大きくしたりして、文字修飾を行う。さらには、文字にアンダーラインを引くなどしてもよい。
【００６７】
そして図４（Ｃ）は、強調表示に加えて、誇張表示を行う例である。図４（Ｃ）の例では、文字を光らせたり（斜線部分）、メッセージの受信時に音や振動を出したりする。このように、情報変換部１５０は、受信情報を表示部４００に表示する際に、音、光及び振動のうちの少なくとも１つを発生させる提示態様に変換してもよい。
【００６８】
これにより、視覚のみを介して受信情報を提示するよりも、受信情報を受信者により強く印象付けること等が可能になる。
【００６９】
また、図４（Ｄ）は、元のテキストデータを婉曲表現に変換して表示する例である。元の情報の内容はそのままに、文体を丁寧表現や、推定・推量表現、受け身表現などに変換して表示する。このように、柔らかい文体に変換することにより、受信者が元の情報をそのまま取得した時に感じる威圧感や切迫感等を緩和することができる。
【００７０】
そして、図４（Ｅ）は、省略表示を行う例である。図４（Ｅ）の例では、例えば元のメッセージのタイトルと要約だけを表示して、メッセージを受信したことを受信者に報知する。さらに、図４（Ｅ）に示す「続きを読む」の部分をクリックすると、元のメッセージ又は図４（Ｄ）に示すような婉曲表現に変換されたメッセージを表示する。このように、図４（Ｅ）の例では、メッセージの全てを読むか、読まないか又は後で読むかを受信者が選択できる。
【００７１】
さらに、図４（Ｆ）は、図４（Ｅ）の例よりも元のメッセージを省略して表示する例である。図４（Ｆ）の例では、メッセージを示すアイコンとタイトル（又は要約）のみを表示する。これにより、受信者にメッセージを受信したことと、最小限のメッセージの内容だけを伝えることができる。
【００７２】
図４（Ｇ）は、受信者に伝える情報を最小限にする例である。図４（Ｇ）の例では、例えばメッセージを示すアイコンのみを表示したり、振動や音、光などの非言語情報だけを通知したりする。図４（Ｅ）〜図４（Ｇ）に示すように、受信情報の省略の度合いが強くなればなるほど、受信者に与える受信情報の切迫感（緊急性）や威圧感等が減少する。これにより、受信者を不快な気分にさせることが少なくなる。
【００７３】
次に、図４（Ａ）〜図４（Ｇ）に示す表示態様のうちのいずれかの表示態様に変換するかの決定方法について説明する。前述したように、本実施形態では、送信者の心身情報と、受信者の心身情報と、受信情報（コンテンツ情報）の内容と、送信者の位置情報と受信者の位置情報の少なくとも一方とに基づいて、受信情報の提示態様を変換する。まず、送信者の心身情報及び受信者の心身情報に基づいて、提示態様を変換する方法について説明する。
【００７４】
情報変換部１５０は、受信者の心身情報及び送信者の心身情報のうちの少なくとも１つに基づいて、心的状態がポジティブ状態、ノーマル状態及びネガティブ状態のうちのいずれかの状態であるか否かを判定し、判定した心的状態に基づいて、受信情報の提示態様を変換する。
【００７５】
これにより、ポジティブ状態、ノーマル状態及びネガティブ状態のうちのそれぞれの心的状態に適した提示態様で、受信情報を提示すること等が可能になる。
【００７６】
具体的には情報変換部１５０は、心的状態がポジティブ状態であると判定した場合には、例えば図４（Ｂ）に示すような強調表示及び図４（Ｃ）に示すような誇張表示の少なくとも一方の表示態様で表示部４００に表示されるように、受信情報の提示態様を変換する。また、情報変換部１５０は、心的状態がネガティブ状態であると判定した場合には、例えば図４（Ｅ）〜図４（Ｇ）に示すような省略表示の表示態様で表示部４００に表示されるように、受信情報の提示態様を変換する。
【００７７】
これにより、心的状態がポジティブ状態である場合に、送信者の意図をより強く反映して受信情報を提示し、心的状態がネガティブ状態である場合には、受信者の気分を害さないように受信情報を提示すること等が可能になる。
【００７８】
次に、送信者の位置情報と受信者の位置情報の少なくとも一方に基づいて、提示態様を変換する方法について説明する。情報の送受信を行う際には、送信者と受信者の現在位置（滞在場所）によっても、受信情報の提示態様を変えることが望ましい。例えば、病院、図書館、学校などを公共性の高いフォーマルな場所、家などをパーソナルな場所、職場、飲食店などをノーマルな場所といったように分類する。フォーマルな場所では、情報の送受信を静かに行う必要がある。一方、パーソナルな場所では、多少大げさに情報の送受信を行っても許される。そして、ノーマルな場所では、送信者の意図がそのまま反映された提示態様でも特に問題ない。このように、場所によって受信情報の提示態様を変更する。なお、送信者及び受信者の現在位置がフォーマルな場所なのか、ノーマルな場所なのか、パーソナルな場所なのかを判断する際には、各位置がフォーマルな場所、ノーマルな場所及びパーソナルな場所のうちのいずれかに対応するかを予め決めて記憶しておく。そして、記憶されたデータと送信者及び受信者の現在位置とを照合することにより行う。
【００７９】
これにより、送信者の位置及び受信者の位置の少なくとも一方に適した提示態様で、受信情報を提示すること等が可能になる。
【００８０】
この時、情報変換部１５０は、位置情報に基づいて、受信者の周囲環境がフォーマル状態、ノーマル状態及びパーソナル状態のうちのいずれかの状態であるか否かを判定し、判定した周囲環境に基づいて、受信情報の提示態様を変換する。
【００８１】
これにより、フォーマル状態、ノーマル状態及びパーソナル状態のうちのそれぞれの周囲環境に適した提示態様で、受信情報を提示すること等が可能になる。なお、周囲環境とは、主に場所のことであるが、その他にも送信者又は受信者の周囲の音の大きさや、天候、気温、湿度、人の多さ、室内か屋外か等の情報も含む。
【００８２】
具体的には情報変換部１５０は、周囲環境がノーマル状態であると判定した場合には、例えば図４（Ｂ）に示すような強調表示及び図４（Ｃ）に示すような誇張表示の少なくとも一方の表示態様で表示部４００に表示されるように、受信情報の提示態様を変換する。また、情報変換部１５０は、周囲環境がパーソナル状態であると判定した場合には、例えば図４（Ｅ）〜図４（Ｇ）に示すような省略表示の表示態様で表示部４００に表示されるように、受信情報の提示態様を変換する。
【００８３】
これにより、周囲環境がノーマル状態である場合に、送信者の意図をより強く反映して受信情報を提示し、周囲環境がパーソナル状態である場合には、受信者の気分を害さないように受信情報を提示すること等が可能になる。
【００８４】
次に、受信情報（コンテンツ情報）の内容に基づいて、提示態様を変換する方法について説明する。受信情報の内容についても、フォーマル、パーソナル、ノーマルの３種類に分類することができる。例えば、受信情報がテキストデータである場合には、招待状、依頼書、見積もり書、請求書などのハンコや署名があるような文書などはフォーマルな内容に分類され、仲間同士のたわいのないやりとりや、チャットなどはパーソナル内容に分類され、特に厳格な内容が含まれていない文書はノーマルな内容に分類される。
【００８５】
そして、情報変換部１５０は、受信情報の内容が、フォーマルな内容及びノーマルな内容、パーソナルな内容のうちのいずれかの内容であるか否かを判定し、判定した内容に基づいて、受信情報の提示態様を変換する。
【００８６】
これにより、フォーマルな内容、ノーマルな内容及びパーソナルな内容のうちのそれぞれの内容に適した提示態様で、受信情報を提示すること等が可能になる。
【００８７】
具体的には情報変換部１５０は、受信情報の内容がノーマルな内容であると判定した場合には、例えば図４（Ｂ）に示すような強調表示及び図４（Ｃ）に示すような誇張表示の少なくとも一方の表示態様で表示部４００に表示されるように、受信情報の提示態様を変換する。また、情報変換部１５０は、受信情報の内容がパーソナルな内容であると判定した場合には、例えば図４（Ｅ）〜図４（Ｇ）に示すような省略表示の表示態様で表示部４００に表示されるように、受信情報の提示態様を変換する。
【００８８】
これにより、受信情報の内容がノーマルな内容である場合に、送信者の意図をより強く反映して受信情報を提示し、受信情報の内容がパーソナルな内容である場合には、受信者の気分を害さないように受信情報を提示すること等が可能になる。
【００８９】
なお、フォーマルな内容、ノーマルな内容及びパーソナルな内容の区別は、送信者自身が指定する方法と、元情報を機械的に判断する方法がある。機械的に判断する場合、例えば、元情報に含まれる文章を取り出し、形態素分析で単語に分け、丁寧語、謙譲語などが含まれる比率が高いものはフォーマルな内容、逆に砕けた表現、カタカナ、ひらがなが多い場合はパーソナルな内容、それ以外はノーマルな内容に分類することができる。
【００９０】
上記の説明では、心的状態と周囲環境と情報の内容を別々に判断して、受信情報の提示態様を変換する例について説明したが、実際にはこれらの情報を複合的に考慮して、提示態様の変換を行う。
【００９１】
具体的には、情報変換部１５０は、送信者の心的状態を数値化したパラメーターＳＳと、送信者の周囲環境を数値化したパラメーターＰＳと、受信者の心的状態を数値化したパラメーターＳＲと、受信者の周囲環境を数値化したパラメーターＰＲと、を引数とした関数Ｆ（ＳＳ、ＰＳ、ＳＲ、ＰＲ）に基づいて、受信情報の提示態様を決定する。
【００９２】
関数Ｆは、パラメーターＳＳと、パラメーターＰＳと、パラメーターＳＲと、パラメーターＰＲと、を線形結合した項を含む関数であり、例えば、次式（１）で示すような関数である。
【００９３】
【数１】
2016157253.tif 000003
なお、式（１）において、αＳ、αＲ、βＳ、βＲは任意の重み付け係数であり、βは正規化定数であり、Ｃはコンテンツの状態を数値化したパラメーターである。任意の重み付け係数（αＳ、αＲ、βＳ、βＲ）は、優先度の高いパラメーターに対応する係数を大きな値に設定し、優先度の低いパラメーターに対応する係数を小さな値に設定する。例えば、αＳを大きくすれば、受信情報の提示態様を決定する上で、送信者の心的状態の影響力を高めることができる。
【００９４】
そして、各パラメーター（ＳＳ、ＰＳ、ＳＲ、ＰＲ、Ｃ）は、例えば図５に示すようにして決められる。送信者の心的状態ＳＳは、ポジティブ状態では＋５になり、ノーマル状態で０、ネガティブ状態で−５となる。受信者の心的状態ＳＲも同様である。また、送信者の位置ＰＳは、ノーマルな位置では＋１になり、フォーマルな位置では０、パーソナルな位置では−１となる。受信者の位置ＰＲも同様である。そして、情報の内容の性質Ｃは、ノーマルな内容では＋１になり、フォーマルな内容では０、パーソナルな内容では−１となる。ただし、各パラメーターが取り得る値はこれらに限定されない。また、数値の割り振り方や、取り得る範囲などは、送信者や受信者、システムの都合などにより適宜変更して良い。
【００９５】
前述した図４（Ａ）〜図４（Ｇ）の例では、各種変数及び定数を適宜調整して、Ｆの値が＋５から−５の範囲になるように設定したとする。この数値によって、伝え方、すなわち、受信情報の提示態様を変更する。Ｆの数値が小さくなるにつれ、内容は後回しにして、大雑把で、まず情報が送られた事実を優先して伝える伝え方（提示態様）に変更する。逆に、Ｆの数値が大きくなるにつれ、内容をしっかり伝えると共に、強調や誇張を加えた強い印象を与える伝え方にする。具体的には、Ｆ＝０の時には図４（Ａ）の提示態様に決定し、Ｆ＝＋１〜＋３の時には図４（Ｂ）の提示態様に決定し、Ｆ＝＋４〜＋５の時には図４（Ｃ）の提示態様に決定し、Ｆ＝−１〜−２の時には図４（Ｄ）の提示態様に決定し、Ｆ＝−３の時には図４（Ｅ）の提示態様に決定し、Ｆ＝−４の時には図４（Ｆ）の提示態様に決定し、Ｆ＝−５の時には図４（Ｇ）の提示態様に決定する。
【００９６】
これにより、送信者及び受信者の心的状態と、送信者及び受信者の周囲環境を複合的に考慮して、提示態様の変換を行うこと等が可能になる。
【００９７】
また、パラメーターＳＳと、パラメーターＰＳと、パラメーターＳＲと、パラメーターＰＲと、を線形結合した項を含むことにより、送信者の心的状態と、送信者の周囲環境と、受信者の心的状態と、受信者の周囲環境とを考慮して、提示態様を決定すること等が可能になる。
【００９８】
より具体的には、関数Ｆが送信者の状況を表すパラメーターと、受信者の状況を表すパラメーターの和になっているのは、以下のような理由があるためである。送信者の意思を受信者が汲むには、送信者の意思そのままで情報を伝えればいいと思われる。しかし、受信者には受信者の心情もあるため、受信者の意思も勘案した情報の受け方をする必要がある。例えば、送信者がとても興奮しており、モチベーションの高い状態（ポジティブ状態）で情報を送った時、受信者の気持ちが沈んでいて、あまり情報を見たり聞いたりしたくない場合（ネガティブ状態）があると考えられる。このような時、送信者のハイテンション状態（ポジティブ状態）の情報をそのまま受けさせると、受信側はあまりよい気持ちがしないと考えられる。そこで、受信者の沈んだ気持ちを察し、少しゆるい感じで情報を伝える。こうすれば、派手な感じで受信者に情報は伝わらないが、送信者の興奮の一端はタイトルなどで感じ取ってもらえる。よって、送信者と受信者の双方の意思を反映できる情報のやりとりが実現できる。他の状態でも、同様に考察すると、双方の状態の和をとることで、両者にとってベストな伝え方を導き出すことができると考えられる。
【００９９】
２．３．変形例
次に、図６に本実施形態の変形例を示す。前述した例では、送信側の情報端末２００が送信者の心身情報を特定して、受信側の生体情報処理システム１００に送信者の心身情報を送信していた。一方、図６に示す変形例では、送信側の情報端末２００が受信側の生体情報処理システム１００に送信者の生体情報を送信して、生体情報処理システム１００が送信者の心身情報を特定する。
【０１００】
すなわち、送受信部１３０は、送信者の生体情報を受信する。そして、心身情報特定部１１０は、送信者の生体情報に基づいて、送信者の心身情報を特定し、受信者の生体情報に基づいて、受信者の心身情報を特定する。情報変換部１５０は、送受信部１３０が受信した受信情報の内容と、送信者の心身情報と、受信者の心身情報とに基づいて、受信情報の提示態様の変換処理を行う。
【０１０１】
これにより、送信側の情報端末が送信者の心身情報を特定することができない場合でも、受信情報の提示態様の変換処理を行うこと等が可能になる。
【０１０２】
次に、本変形例の処理の流れについて、図７のシーケンス図を用いて詳細に説明する。
【０１０３】
まず、情報端末２００のセンシング部２５０が、情報の送信者の生体情報を取得し（Ｔ２０１）、取得した生体情報を送受信部２３０に送信する（Ｔ２０２）。
【０１０４】
次に、情報端末２００の送受信部２３０は、取得した送信者の生体情報と共に、コンテンツ情報を生体情報処理システム１００の送受信部１３０に送信する（Ｔ２０３）。そして、コンテンツ情報と生体情報を受信した生体情報処理システム１００の送受信部１３０は、生体情報を心身情報特定部１１０に送信し（Ｔ２０４）、コンテンツ情報を情報変換部１５０に送信する（Ｔ２０５）。さらに、心身情報特定部１１０は、受信した送信者の生体情報に基づいて、送信者の心身情報を特定する（Ｔ２０６）。
【０１０５】
その後、生体情報処理システム１００のセンシング部３１０が、情報の受信者の生体情報を取得し（Ｔ２０７）、取得した生体情報を心身情報特定部１１０に送信する（Ｔ２０８）。そして、生体情報処理システム１００の心身情報特定部１１０が、受信者の生体情報に基づいて、受信者の心身情報を特定し（Ｔ２０９）、特定した送信者の心身情報と、受信者の心身情報を情報変換部１５０に送信する（Ｔ２１０）。
【０１０６】
次に、情報変換部１５０が、受信情報（コンテンツ情報）の内容と、送信者の心身情報と、受信者の心身情報とに基づいて、受信情報の提示態様を変換し（Ｔ２１１）、提示態様の変換後の受信情報を表示部４００に送信する（Ｔ２１２）。そして、表示部４００が変換された提示態様で受信情報を表示し（Ｔ２１３）、処理を終了する。
【０１０７】
３．第２の実施形態
次に、第２の実施形態について説明する。第１の実施形態では、受信側の生体情報処理システム１００が、受信情報の提示態様の変換処理を行っていたが、本実施形態では、外部のサーバーシステムに送信者と受信者の生体情報及びコンテンツ情報（送信情報）を送信し、サーバーシステムが受信情報の提示態様の変換処理を行って、変換した提示態様で受信情報を生体情報処理システム１００に送信する。
【０１０８】
ここで、本実施形態のシステム構成例を図８に示す。本実施形態のサーバーシステム７００は、第１の情報端末２００と第２の情報端末６００との間で通信を行う送受信部７３０と、処理部７１０と、を含む。また、第１の情報端末２００は、少なくともセンシング部２５０を含む。そして、第２の情報端末６００は、少なくともセンシング部３１０と、表示部４００とを含む。本例では、第１の情報端末２００が、第２の情報端末６００に情報を送信するものとする。
【０１０９】
本実施形態の処理の流れを、図９のシーケンス図に示す。送受信部７３０は、第１の情報端末２００のセンシング部２５０で測定された送信者の生体情報と送信情報とを第１の情報端末２００から受信する（Ｔ３０１、Ｔ３０２）。同様にして、送受信部７３０は、第２の情報端末６００のセンシング部３１０で測定された受信者の生体情報を第２の情報端末６００から受信する（Ｔ３０３、Ｔ３０４）。
【０１１０】
そして、処理部７１０は、取得した送信者の生体情報に基づいて、送信者の心身情報を特定し、取得した受信者の生体情報に基づいて、受信者の心身情報を特定する（Ｔ３０５、Ｔ３０６）。その後に、処理部７１０は、送信情報の内容と、送信者の心身情報と、受信者の心身情報とに基づいて、送信情報の提示態様の変換処理を行う（Ｔ３０７）。
【０１１１】
さらに、処理部７１０は、提示態様の変換後の送信情報（表示情報）を、第２の情報端末６００の表示部４００に送信し、表示部４００が表示情報を表示する（Ｔ３０９）。
【０１１２】
これにより、送信側及び受信側の情報端末の処理負荷を軽減しつつ、送信情報の提示態様を変換すること等が可能になる。
【０１１３】
また、サーバーシステム７００は、例えば処理サーバー、データサーバー等の複数のサーバー装置により構成される。ただし、サーバーシステム７００、第１の情報端末２００及び第２の情報端末６００の具体的な構成はこれに限定されず、これらの一部の構成要素を省略したり、他の構成要素を追加したりするなどの種々の変形実施が可能である。また、サーバーシステム７００の一部の機能を、第１の情報端末２００及び第２の情報端末６００等が分散して実現してもよい。
【０１１４】
図８の例では、第１の情報端末２００、第２の情報端末６００及びサーバーシステム７００は、有線及び無線の少なくとも一方を含むネットワーク９００により、通信接続される。ネットワーク９００は、異なる通信規格の各種ネットワークを含んでいてもよい。例えば、第１の情報端末２００及び第２の情報端末６００がＢｌｕｅｔｏｏｔｈ（登録商標）や無線ＬＡＮ等により接続され、第１の情報端末２００とサーバーシステム７００、第２の情報端末６００とサーバーシステム７００がインターネットにより接続される。ただし、本実施形態はこれに限定されない。
【０１１５】
４．心的状態の推定処理
次に、心的状態情報の推定処理について詳細に説明する。特に、心的状態情報の中でも、モチベーションの高低や、行動に対するユーザー評価などの内省的な心の状態を、緊張状態、リラックス状態、覚醒状態などの精神状態などから推定する具体的な方法を説明する。なお、行動に対するユーザー評価とは、例えばユーザーがある行動を起こした時に、その行動をして良かったと感じているか、その行動をしなければ良かったと後悔しているかの程度を示す情報のことである。このユーザー評価は、ユーザー自身が意識的に感じているものであってもよいし、無意識のうちに感じているものであってもよい。
【０１１６】
まず、心拍（脈拍）、血圧、体温などの生体情報から、緊張状態、リラックス状態、覚醒状態などの精神状態を推定する。ここでは、心拍（脈拍）から推定する方法を述べる。心拍（心臓の拍動）は心臓の活動状態を表す。心臓は交感神経の影響を受けるので、心拍の状態から交感神経の活動状態を推定することができる。
【０１１７】
心拍における交感神経と副交感神経の影響を分析する方法としては、周波数分析が一般的である。心拍変化のグラフのピーク間距離（Ｒ−Ｒ間隔）の時間変化を周波数分析（ＦＦＴ）して、低周波数成分ＬＦと高周波数成分ＨＦに分け、分析を行う。
【０１１８】
そして、低周波数成分ＬＦや高周波数成分ＨＦから、交感神経と副交感神経の影響を定量化することができる。この定量化した値が、精神負荷ストレスの程度に対応しており、数値の大きさからリラックスしている、緊張している、良いと感じているなどの精神状態を推定できる。
【０１１９】
さて、定量化した緊張状態などの精神状態は、例えばＴＶを見て感動した（モチベーションが高い状態）とか、良かった（ユーザー評価）などの心的状態とは、必ずしも一致しない。数値的には興奮していたり、リラックスしていたりしたとしても、必ずしも心地よい状態であると、１つの精神指標だけでは判断できないことが多い。そのため、その時のユーザーの状況から、別の精神状態も考慮して総合的に判断する必要があると考えられる。
【０１２０】
次に、複数の定量化した精神状態から、モチベーションの高低や、行動結果に対するユーザー評価などの心的状態を推定する方法を説明する。
【０１２１】
まず、生体情報の一つである心拍数（ＨＲ）から、心拍数の周波数分析などにより、複数の精神状態を数値化する。ここでは、図１０に示す、Ａ：リラックス―興奮・緊張、Ｂ：眠り―覚醒、Ｃ：疲れ―元気（体力の度合い）の３つの指標を使う例を示す。具体的には、ＡはＨＦ、ＬＦの比率、Ｂは安静時のＨＲ（基底のＨＲ）、ＣはＨＲの最大値の状態（直近の最大値が低めの時は体が疲れていて、気持ちも疲れていると推測）などを使う。
【０１２２】
Ａ、Ｂ、Ｃの指標は、互いに反対の状態を示しているので、例えば、Ａの場合、リラックスと興奮の中立点を０として、リラックスしているときの最大値を−５、興奮しているときの最大値を５というように数値にした。Ｂ及びＣも同様である。
【０１２３】
次に、心的状態の推定に、複数の精神状態だけでなく、その人の運動状態も加味する。同じ精神状態であっても、運動強度が大きくなると精神状態の心拍に対する影響が小さくなる。そのため、運動強度の影響を図１１のような関数Ｍ（Ｉ）で表現し、心的状態の推定に使う。図１１の横軸は運動強度Ｉ（Ｍｅｔｓ等）、縦軸は運動状態Ｍ（Ｉ）であり、Ｉの関数である。横に寝ている、座っている、上体を起こしているなど、あまり体が動かない状態では、他の運動状態の時よりもＭ（Ｉ）が低くなる。歩いている状態でＭ（Ｉ）が最大となり、走っていたり、スポーツをしていたりするような運動強度が得られたときには、歩いている時よりもＭ（Ｉ）が小さくなる。なお、図１１の例では、Ｍ（Ｉ）のレンジは図１０の例に合わせて、−５から５にしている。
【０１２４】
このようにして求めた精神状態及び運動状態から心的状態Ｘを次式から定量化する。なお、α、β、γは変数であり、適宜調整可能である。同じ記号を用いているが、式（１）のパラメーターとは異なるパラメーターである。
【０１２５】
【数２】
2016157253.tif 000004
図１０の例では、Ａ＝３、Ｂ＝Ｃ＝２である。ここで、α、β、γを全て１とし、ユーザーが座っている状態とする。座っている状態ではＭ（Ｉ）＝０なので、Ｘ＝７となる。すなわち、モチベーションの高さを７と特定できる。
【０１２６】
モチベーションが高い時は、興奮している場合が多いが、半分体が寝ているときや元気がない時は、単に何かの刺激で興奮状態になっている可能性があり、このような場合は、やる気が十分あるとは言えない。また、運動しているときは、運動自体で脈が上がるため、やる気の気持ちの影響が減ると考えられるため、運動の影響を割り引く必要がある。このように複数の精神状態や運動を考慮することで、より正確なモチベーションの量を推定することができる。
【０１２７】
以上のように、心拍による精神状態と、動きによる運動状態から、心的状態を定量化することができる。心拍以外の血圧、体温の場合も同様に、Ａ、Ｂ、Ｃが他の生体情報による推定で得られたものになる。複数の生体情報の場合、例えば心拍からＡ、Ｂ、Ｃが求められ、血圧からＡ´、Ｂ´、Ｃ´が求められ、これらの線形結合により、心的状態が求められる。
【０１２８】
以上のように本実施形態の心身情報特定部１１０（心身情報特定部２１０）は、ユーザーのモチベーションの高さを心的状態情報として推定する。モチベーションの高さは、生体情報から直接推定してもよいし、緊張状態等から推定してもよい。
【０１２９】
５．情報端末の構成例
図１２（Ａ）、図１２（Ｂ）、図１３に本実施形態の情報端末（第１の情報端末２００又は第２の情報端末６００）の外観図を示す。図１２（Ａ）は情報端末を正面方向側から見た図であり、図１２（Ｂ）は上方向側から見た図であり、図１３は側面方向側から見た図である。
【０１３０】
図１２（Ａ）〜図１３に示すように本実施形態の情報端末は、バンド部５１０とケース部５３０とセンシング部３１０を有する。ケース部５３０は、バンド部５１０に取り付けられる。センシング部３１０は、ケース部５３０に設けられる。なお、本実施形態の情報端末は図１２（Ａ）〜図１３等の構成に限定されず、その構成要素の一部を省略したり、他の構成要素に置き換えたり、他の構成要素を追加するなどの種々の変形実施が可能である。
【０１３１】
バンド部５１０は、ユーザーの手首に巻き付けて情報端末を装着するためのものである。バンド部５１０は、穴部５１２、バックル部５１４を有する。バックル部５１４はバンド挿入部５１５と突起部５１６を有する。ユーザーは、バンド部５１０の一端側を、バックル部５１４のバンド挿入部５１５に挿入し、バンド部５１０の穴部５１２にバックル部５１４の突起部５１６を挿入することで、情報端末を手首に装着することができる。この場合、どの穴部５１２に突起部５１６を挿入するかに応じて、センシング部３１０への押圧（手首表面に対する押圧）の大きさが調整される。
【０１３２】
ケース部５３０は、情報端末の本体部に相当するものである。ケース部５３０の内部には、センシング部３１０、生体情報処理システム１００（心身情報特定部１１０、送受信部１３０及び情報変換部１５０等を含む）等の種々の構成部品が設けられる。即ち、ケース部５３０は、これらの構成部品を収納する筐体である。
【０１３３】
ケース部５３０には発光窓部５３２が設けられている。発光窓部５３２は透光部材により形成されている。そしてケース部５３０には、フレキシブル基板に実装された発光部（ＬＥＤ）が設けられており、この発光部からの光が、発光窓部５３２を介してケース部５３０の外部に照射される。
【０１３４】
図１３に示すようにケース部５３０には端子部５３１が設けられている。情報端末を図示しないクレードルに装着すると、クレードルの端子部とケース部５３０の端子部５３１が電気的に接続される。これにより、ケース部５３０に設けられる二次電池（バッテリー）の充電が可能になる。
【０１３５】
なお、本実施形態の生体情報処理システム及びサーバーシステム等は、その処理の一部または大部分をプログラムにより実現してもよい。この場合には、ＣＰＵ等のプロセッサーがプログラムを実行することで、本実施形態の生体情報処理システム及びサーバーシステム等が実現される。具体的には、非一時的な情報記憶装置に記憶されたプログラムが読み出され、読み出されたプログラムをＣＰＵ等のプロセッサーが実行する。ここで、情報記憶装置（コンピューターにより読み取り可能な装置）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶装置に格納されるプログラム（データ）に基づいて本実施形態の種々の処理を行う。即ち、情報記憶装置には、本実施形態の各部としてコンピューター（操作部、処理部、記憶部、出力部を備える装置）を機能させるためのプログラム（各部の処理をコンピューターに実行させるためのプログラム）が記憶される。
【０１３６】
また、本実施形態の生体情報処理システム及びサーバーシステム等は、プロセッサーとメモリーを含んでも良い。ここでのプロセッサーは、例えばＣＰＵ（Central Processing Unit）であってもよい。ただし、プロセッサーはＣＰＵに限定されるものではなく、ＧＰＵ（Graphics Processing Unit）、或いはＤＳＰ（Digital Signal Processor）等、各種プロセッサーを用いることが可能である。また、プロセッサーはＡＳＩＣ（Application Specific Integrated Circuit）によるハードウェア回路でもよい。また、メモリーはコンピューターにより読み取り可能な命令を格納するものであり、当該命令がプロセッサーにより実行されることで、本実施形態に係る生体情報処理システム及びサーバーシステム等の各部が実現されることになる。ここでのメモリーは、ＳＲＡＭ（Static Random Access Memory）、ＤＲＡＭ（Dynamic Random Access Memory）などの半導体メモリーであってもよいし、レジスターやハードディスク等でもよい。また、ここでの命令は、プログラムを構成する命令セットの命令でもよいし、プロセッサーのハードウェア回路に対して操作を指示する命令であってもよい。
【０１３７】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報処理システム及びサーバーシステムの構成、動作も本実施形態で説明したものに限定されず、種々の変形実施が可能である。
【符号の説明】
【０１３８】
１００  生体情報処理システム、１１０  心身情報特定部、１３０  送受信部、
１５０  情報変換部、２００  情報端末、２１０  心身情報特定部、２３０  送受信部、
２５０  センシング部、３１０  センシング部、４００  表示部、５１０  バンド部、
５１２  穴部、５１４  バックル部、５１５  バンド挿入部、５１６  突起部、
５３０  ケース部、５３１  端子部、５３２  発光窓部、６００  情報端末、
７００  サーバーシステム、７１０  処理部、７３０  送受信部、９００  ネットワーク
【図１】
2016157253.tif 000005
【図２】
2016157253.tif 000006
【図３】
2016157253.tif 000007
【図５】
2016157253.tif 000008
【図６】
2016157253.tif 000009
【図７】
2016157253.tif 000010
【図８】
2016157253.tif 000011
【図９】
2016157253.tif 000012
【図１０】
2016157253.tif 000013
【図１１】
2016157253.tif 000014
【図１２】
2016157253.tif 000015
【図１３】
2016157253.tif 000016
【図４】
2016157253.tif 000017